(57)【特許請求の範囲】
【請求項１】
略箱状の扇風機筐体内部上方に電池受けを設け、その下に送気装置を設け、送気装置からの気流が使用者の頭部側に送気できるように頭部側筐体である筐体裏面に送気孔を設け、その反対側である筐体正面に吸気孔を設け、筐体裏面の外部上端から下向に送気孔の手前まで、幅は筐体の幅ないし少し狭く、略矩形状の弾性を持ったバンド受けクッションを設け、このバンド受けクッション下端の裏側筐体外部に、柔軟性を備えた面ファスナー雄のような帯状部材の扇風機取付け帯下端を固定して略Ｕ字状に曲げて設け、筐体外部上面には扇風機取付け帯の上端付近を圧着固定する略矩形状の面ファスナー雌のような帯固定部を設け、バンド受けクッションと扇風機取付け帯の間にヘルメットや帽子のバンド部分を挟み扇風機取付け帯で締付けて、帯固定部に指で圧着固定することで、ヘルメット＆帽子扇風機がヘルメットや帽子から外れないように装着されて安心して使用できることを特長とするヘルメット＆帽子扇風機。
【請求項２】
送気装置は必ずしも筐体内部で固定されている必要はなく、送気方向を使用者の首筋から後頭部にかけて希望する方向に広く調節できるように、送気装置を送気装置支持枠に固定して、上下方向に揺動できるようにしてもよく、その場合は送気装置支持枠両側面の揺動中心部分である水平軸芯の位置に、支持軸を固定する雌ネジ穴を設け、送気装置支持枠が上下方向に揺動できる水平軸芯の位置に、筐体裏面の左右側面に支持軸を通す軸受け穴を設け、先端部分が雄ネジになった支持軸を、軸受け穴に通して、送気装置を左右から挟み上下方向に揺動できるように、送気装置支持枠両側面の雌ネジ穴にネジ込み固定して、筐体裏面側面に飛び出た支持軸に送気方向調節ツマミを設け、使用者が好みの送気方向を調節できるようにすることを特徴とする請求項１におけるヘルメット＆帽子扇風機。
【発明の詳細な説明】
【技術分野】
【０００１】  本発明は屋外等で、ヘルメットや帽子に装着し涼を取る扇風機に関するものである。
【背景技術】
【０００２】  夏季屋外等で被るヘルメットに取付けて涼を取る携帯用送風機が知られている。
【先行技術文献】
【０００３】
【特許文献１】実用新案登録第３０４６６８３号公報
【発明の概要】
【発明が解決しようとする課題】
【０００４】  従来の携帯用送風機には次のような欠点があつた。携帯用送風機装着時にヘルメット後頭部側に装着した場合は、ヘルメットの外面に出っ張り作業中に他の物等にぶつける恐れがあつた。またヘルメット顔面側や帽子に装着した場合は、クリップが額や後頭部に当たり快適に使用できなかった。またヘルメットと帽子のどちらにもピッタリと快適に装着できる携帯用送風機はなかったのである。
【課題を解決するための手段】
【０００５】  略箱状の扇風機筐体内部上方に電池受けを設け、その下に送気装置を設け、送気装置からの気流が使用者の頭部側に送気できるように頭部側筐体である筐体裏面に送気孔を設け、その反対側である筐体正面に吸気孔を設ける。
筐体裏面の外部上端から下向に送気孔の手前まで、幅は筐体の幅ないし少し狭く、略矩形状の弾性を持ったバンド受けクッションを設け、このバンド受けクッション下端の裏側筐体外部に、柔軟性を備えた面ファスナー雄のような帯状部材の扇風機取付け帯下端を固定して略Ｕ字状に曲げて設け、筐体外部上面には扇風機取付け帯の上端付近を圧着固定する略矩形状の面ファスナー雌のような帯固定部を設け、バンド受けクッションと扇風機取付け帯の間にヘルメットや帽子のバンド部分を挟み扇風機取付け帯で締付けて、帯固定部に指で圧着固定することで、ヘルメット＆帽子扇風機がヘルメットや帽子から外れないように装着されて安心して使用できるのである。
送気装置は必ずしも筐体内部で固定されている必要はなく、送気方向を使用者の首筋から後頭部にかけて希望する方向に広く調節できるように、送気装置を送気装置支持枠に固定して、上下方向に揺動できるようにしてもよく、その場合は、送気装置支持枠両側面の揺動中心部分である水平軸芯の位置に、支持軸を固定する雌ネジ穴を設け、送気装置支持枠が上下方向に揺動できる水平軸芯の位置に、筐体裏面の左右側面に支持軸を通す軸受け穴を設け、先端部分が雄ネジになった支持軸を、軸受け穴に通して、送気装置を左右から挟み上下方向に揺動できるように、送気装置支持枠両側面の雌ネジ穴にネジ込み固定して、筐体裏面側面に飛び出た支持軸に送気方向調節ツマミを設け、使用者が好みの送気方向を調節できるようにする。
以上を特徴とするヘルメット＆帽子扇風機である。
【発明の効果】
【０００６】  本発明のヘルメット＆帽子扇風機は、クリップ等の突起部分が無く、そのままでヘルメットや帽子のどちらにもピッタリと快適に装着することができ、ヘルメットや帽子のバンドに挟み込む位置を変えて、後頭部への送気気化冷却位置を上下左右に変えることが出来る。
更に、送気装置と連動した送気方向調節ツマミを設けておけば、使用者が上下方向に略２０度ずつの範囲で好みの送気位置を選択できるのである。
またヘルメットに取付けた場合、ヘルメットの外側に出っ張ることもなく作業中に物にぶつかり損傷の恐れもない。もし物にぶつかった場合でも、バンド受けクッションが頭部への衝撃を吸収するので安心である。
ヘルメットや帽子への着脱も、バンド受けクッションと扇風機取付け帯の間にヘルメットや帽子のバンド部分を挟み、扇風機取付け帯で締付けて、筐体上面の帯固定部に指で圧着して固定するだけでよい。取外す場合も、圧着部分の扇風機取付け帯を指で剥がして取外すだけでよいので簡単である。
【図面の簡単な説明】
【０００７】
【図１】  本発明の一部である側面の断面図。
【図２】  本発明の一部である正面図。
【図３】  本発明の一部である背面図。
【図４】  本発明の実施例を示す使用状態の略図。
【図５】  本発明の実施例を示す使用状態の略図。
【図６】  本発明の実施例を示す使用状態の略図。
【図７】  本発明の別の実施例における側面の断面図。
【図８】  図７に示された実施例の正面図。
【図９】  図７に示された実施例の背面図における一部分を断面表示した図。
【図１０】  本発明の更に別の実施例における側面の断面図。
【図１１】  図１０に示された実施例の正面図における一部分を断面表示した図。
【図１２】  図１０に示された実施例の背面図。
【発明を実施するための形態】
【０００８】  略箱状の扇風機筐体（２）内部上方に電池受け（６）を設け、その下に送気装置（８）を設け、送気装置（８）からの気流が使用者の頭部側に送気できるように頭部側筐体（２）である筐体（２）裏面に送気孔（３）と送気孔グリル（３ａ）を設け、その反対側である筐体（２）正面に吸気孔（４）と吸気孔グリル（４ａ）を設ける。
筐体（２）裏面の外部上端から下向に送気孔（３）の手前まで、幅は筐体（２）の幅ないし少し狭く、略矩形状の弾性を持ったバンド受けクッション（１７）を設け、このバンド受けクッション（１７）下端の裏側筐体（２）外部に、柔軟性を備えた面ファスナー雄のような帯状部材の扇風機取付け帯（１８）下端を固定して略Ｕ字状に曲げて設け、筐体（２）外部上面には扇風機取付け帯（１８）の上端付近を圧着固定する略矩形状の面ファスナー雌のような帯固定部（１９）を設け、バンド受けクッション（１７）と扇風機取付け帯（１８）の間にヘルメット（Ａ）や帽子（Ｂ）のバンド（Ｃ）部分を挟み扇風機取付け帯（１８）で締付けて、帯固定部（１９）に指で圧着固定することで、ヘルメット＆帽子扇風機（１）がヘルメット（Ａ）や帽子（Ｂ）から外れないように装着されて安心して使用できるのである。
なお送気装置（８）は必ずしも筐体（２）内部で固定されている必要はなく、送気方向を使用者の首筋から後頭部にかけて希望する方向に広く調節できるように、送気装置（８）を送気装置支持枠（１１）に固定して、上下方向に揺動できるようにしてもよく、その場合は送気装置支持枠（１１）両側面の揺動中心部分である水平軸芯の位置に、支持軸（１３）を固定する雌ネジ穴（１２）を設け、送気装置支持枠（１１）が上下方向に揺動できる水平軸芯の位置に、筐体（２）裏面の左右側面に支持軸（１３）を通す軸受け穴（１４）を設け、先端部分が雄ネジになった支持軸（１３）を、軸受け穴（１４）に通して、送気装置（８）を左右から挟み上下方向に揺動できるように、送気装置支持枠（１１）両側面の雌ネジ穴（１２）にネジ込み固定して、筐体（２）裏面側面に飛び出た支持軸（１３）に送気方向調節ツマミ（１６）を設け、使用者が好みの送気方向を調節できるようにする。
本発明は、以上のような構成であり、以下これの実施形態を説明する。
【実施形態１】
【０００９】  本発明の第１の実施形態であるヘルメット＆帽子扇風機（１）を以下図１、図２及び図３により説明する。
略箱状の扇風機筐体（２）の頭部側すなわち筐体（２）裏面の内部上方に電池受け（６）を垂直にセットして、ネジ止め等の方法で筐体（２）裏面の内部に固定し、その下に送気孔（３）を開けて送気孔グリル（３ａ）を取付け、送気孔（３）に合わせて、軸流ファン（１０）をモータ（９）軸に固定した送気装置（８）を、気流が使用者の頭部側に送気できる向きにセットして、筐体（２）裏面の内部にネジ止め等の方法で固定する（図１、図３参照）。
次に筐体（２）裏面の左側面にスイッチ（７）の操作ツマミ穴を開けて、スイッチ（７）のツマミが操作できるように、ネジ止め等の方法で筐体（２）内部にスイッチ（７）を固定する（図３参照）。
なお筐体（２）裏面を合成樹脂材で作成して送気孔（３）と送気孔グリル（３ａ）を一体に成形して、スイッチ（７）の操作ツマミ穴も同時に開けておくのがよい。
更に、送気孔グリル（３ａ）は頭部側にドーム状に突出させて頭部側と筐体（２）裏面との間に約１０ミリの送風空間を設けるのもよい（図示せず）。
次に筐体（２）正面に電池交換用の電池蓋（５）穴を、電池受け（６）から電池が交換  できる位置に開けて、電池蓋（５）を取付け、その下に吸気孔（４）を開けて吸気孔グリル（４ａ）を取付け、気流が吸気孔（４）から送気装置（８）を通して送気孔（３）へ送気され使用者の頭部を送気気化冷却することができるようにする（図１、図２参照）。
なお筐体（２）正面を合成樹脂材で作成して吸気孔（４）と吸気孔グリル（４ａ）を一体に成形して電池蓋（５）穴も同時に開けておくのがよい。
ここでは送気装置（８）には直流ファンモータを使用している、また必要に応じて電源電圧昇圧基板、直流ファンモータの回転数調節基板等を設けてもよい（図示せず）。
電池受け（６）は一次電池または二次電池で共用できる乾電池タイプの物であるが、使用する電池に合わせた専用の物でもよい。また筐体（２）に充電器接続用のジャック、電源やモータの状態を示す小さなＬＥＤ灯などを設けるのもよい（図示せず）。
更に、吸気孔（４）付近にサーミスタ等の温度センサーを設け、外気温に対応して警報音または音声で熱中症予防の注意を呼び掛ける電子基板を備え、あるいは小型の温度計を筐体（２）正面や側面に取付け、熱中症予防の注意を促がし、また清浄な気流を送気するため吸気孔（４）に防塵フィルターを備えるのもよい（図示せず）。
【００１０】  バンド受けクッション（１７）は筐体（２）裏面の外部上端から下向きに送気孔（３）の手前までの長さで、幅は筐体（２）の幅ないし少し狭く、略矩形状の弾性を持ったエチレンプロピレンゴムやポリウレタンフォーム等で作成し筐体（２）裏面側に接着等の方法で固定するのがよい（図１、図３参照）。
【００１１】  扇風機取付け帯（１８）は柔軟性を備えた面ファスナー雄のような帯状部材を、幅はバンド受けクッション（１７）の幅ないし少し狭く、長さは下端を筐体（２）裏面に固定する部分の長さと、バンド受けクッション（１７）の長さと、帯固定部（１９）の長さと、指でつまんで締付けられる、つまみ代の長さとを加算した長さで、バンド受けクッション（１７）下端の裏側筐体（２）外部に、結合面を帯固定部（１９）と結合できる向きにして下端を接着やネジ止め等の方法で固定して略Ｕ字状に上向きに曲げて作成するのがよい（図１，図３参照）。
【００１２】  帯固定部（１９）は面ファスナー雌のような略矩形状部材で幅は、扇風機取付け帯（１８）の幅よりも少し長く、長さは筐体（２）の奥行き長さとし、接着等の方法で筐体（２）の外部上面に結合面を扇風機取付け帯（１８）と結合できる向きにして固定する（図１、図２参照）。
【００１３】  ヘルメット＆帽子扇風機（１）を装着するには、バンド受けクッション（１７）と扇風機取付け帯（１８）の間にヘルメット（Ａ）や帽子（Ｂ）のバンド（Ｃ）部分を挟み、扇風機取付け帯（１８）で締付けて、筐体上面の帯固定部（１９）に指で圧着固定するだけでよい。
取外す場合も圧着部分の扇風機取付け帯（１８）を、指で剥がして取外すだけでよい。
【００１４】  図４は、ヘルメット（Ａ）にヘルメット＆帽子扇風機（１）を装着した使用状態の略図であるが、図１に示すバンド挟み込み範囲（Ｄ）の上端位置で装着した状態である。
図５は、同じくヘルメット（Ａ）にヘルメット＆帽子扇風機（１）を装着した使用状態の略図であるが、バンド挟み込み範囲（Ｄ）の下端位置で装着した状態を示している。
このように後頭部への送気気化冷却位置を使用者の好みに応じて上下に変えることができるのである。
図６は、帽子（Ｂ）にヘルメット＆帽子扇風機（１）を装着した使用状態の略図であるが、一例としてバンド挟み込み範囲（Ｄ）の中間位置で、バンド受けクッション（１７）と扇風機取付け帯（１８）の間に帽子（Ｂ）のバンド（Ｃ）部分を挟み、扇風機取付け帯（１８）で締付けて、帯固定部（１９）に指で圧着固定して装着した状態を示している。
この場合もバンド（Ｃ）を挟み込む位置を上下に変えることで、帽子（Ｂ）に装着した場合でも後頭部への送気気化冷却位置を使用者の好みに応じて上下に変えることができる。
送気気化冷却位置を左右に変える場合はヘルメット（Ａ）や帽子（Ｂ）のバンド（Ｃ）内で水平方向左右にずらして、ヘルメット＆帽子扇風機（１）を装着することで変えることができるのである。
【実施形態２】
【００１５】  本発明の第２の実施形態であるヘルメット＆帽子扇風機（１）を図７、図８及び図９により説明する。
略箱状の扇風機筐体（２）の頭部側すなわち筐体（２）裏面の内部上方に電池受け（６）を垂直にセットして、ネジ止め等の方法で筐体（２）裏面の内部に固定し、その下に送気孔（３）を開けて送気孔グリル（３ａ）を取付け、送気孔（３）の位置に合わせて、軸流ファン（１０）をモータ（９）軸に固定した送気装置（８）を、気流が使用者の頭部側に送気できる向きに取付けるが、更に送気装置支持枠（１１）が上下方向に略２０度ずつ揺動できるように、送気装置支持枠（１１）の水平軸芯の位置で左右側面に支持軸（１３）を通す軸受け穴（１４）を、開けておくのである（図７、図９参照）。
なお筐体（２）裏面を合成樹脂材で作成し、送気孔（３）と送気孔グリル（３ａ）を一体に成形し、左右側面には支持軸（１３）を通す軸受け穴（１４）を、同時に開けておくのがよい。
【００１６】  次に筐体（２）正面に電池交換用の電池蓋（５）穴を、電池受け（６）から電池が交換できる位置に開けて、電池蓋（５）を取付ける（図８参照）。
次に電池蓋（５）穴の右隣にスイッチ（７）の操作ツマミ穴を開けて、スイッチ（７）のツマミが操作できるように、ネジ止め等の方法で筐体（２）内部にスイッチ（７）を固定する（図８参照）。なお、スイッチ（７）は筐体（２）側面に設けてもよい（図示せず）。
次に吸気孔（４）を電池蓋（５）穴の下に開けて吸気孔グリル（４ａ）を取付ける（図７、図８参照）。
なお筐体（２）正面を合成樹脂材で作成し、吸気孔（４）と吸気孔グリル（４ａ）を一体に成形し、電池蓋（５）穴とスイッチ（７）の操作ツマミ穴も同時に開けておくのがよい。
【００１７】  送気装置支持枠（１１）は送気装置（８）をピッタリはめ込んで支持する略矩形状の枠体である。そして上下方向に略２０度ずつ揺動できるように、側面の水平軸芯の位置に雌ネジ穴（１２）を左右二ヶ所開けて支持軸（１３）の先端が締付けできるようにする。
次に送気装置（８）を送気装置支持枠（１１）にはめ込み、更にかしめ、または接着等の方法で固定して組立てるのである（図７、図９参照）。
この送気装置支持枠（１１）は、金属材あるいは合成樹脂材等で作成するのがよい。
【００１８】  支持軸（１３）は先端部分に雄ネジを設け、筐体（２）に設けた軸受け穴（１４）を通して送気装置支持枠（１１）側面の雌ネジ穴（１２）に締付け固定するために２個必要である。
支持軸（１３）の筐体（２）外部に飛出た形状は、正面左側用はナベ頭状で、ナベ頭ネジをそのまま使用してもよい。正面右側用は送気方向調節ツマミ（１６）を、取付けできる長さを設け互いにネジ結合、あるいは接着剤結合等で、送気方向調節ツマミ（１６）を取付けできるようにする（図８、図９参照）。
この支持軸（１３）は金属材、あるいは合成樹脂材等で作成するのがよい。
【００１９】  送気方向調節ツマミ（１６）は、支持軸（１３）に固定して送気方向を調節する円筒状のツマミで表面に滑り止め用の溝を設け、軸方向に支持軸（１３）にはめ込む穴を設けてある。
この送気方向調節ツマミ（１６）は金属材、あるいは合成樹脂材等で作成するのがよい。
【００２０】  筐体（２）裏面内部への組立ては軸受け穴（１４）に先端部分が雄ネジになった支持軸（１３）を通して送気装置（８）を固定した送気装置支持枠（１１）を左右から挟み上下方向に略２０度ずつ揺動できるように送気装置支持枠（１１）左右の雌ネジ穴（１２）に、ねじゆるみ止め用接着剤等を併用してネジ込み、固定するのである。
このとき使用者が調節した送気方向が使用中の振動等でズレないように、ズレ止めのパッキン（１５）を送気装置支持枠（１１）両側面と筐体（２）裏面内側との間の左右２ヶ所に挟んで支持軸（１３）を通して送気装置支持枠（１１）を固定し等の方法によって組立て、筐体（２）裏面側面に飛び出た支持軸（１３）に送気方向調節ツマミ（１６）をネジ結合、あるいは接着剤結合等で固定して、使用者が、送気方向調節ツマミ（１６）を回して上下方向に送気方向を選択できるようにする（図７、図９参照）。
送気方向ズレ止めのパッキン（１５）は弾性体状の合成ゴム等で作成した座金状パッキンである（図９参照）。
【００２１】  本発明の第２の実施形態であるバンド受けクッション（１７）は第１の実施形態であるバンド受けクッション（１７）と同一構成で図７、図９に示す通りであるので説明は省略する。
【００２２】  本発明の第２の実施形態である扇風機取付け帯（１８）は第１の実施形態である扇風機取付け帯（１８）と同一構成で図７、図９に示す通りであるので説明は省略する。
【００２３】  本発明の第２の実施形態である帯固定部（１９）は第１の実施形態である帯固定部（１９）と同一構成で図７、図８及び図９に示す通りであるので説明は省略する。
【００２４】  装着方法はバンド受けクッション（１７）と扇風機取付け帯（１８）の間にヘルメット（Ａ）や帽子（Ｂ）のバンド（Ｃ）部分を挟み扇風機取付け帯（１８）で締付けて、筐体（２）上面の帯固定部（１９）に指で圧着して固定するだけでよい。取外す場合も、圧着部分の扇風機取付け帯（１８）を、指で剥がして取外すだけでよい。
【００２５】  ここで使用する送気装置（８）、電池受け（６）等は第１の実施形態で説明した物と同一部品を使用しているが、送気装置（８）は左右側面の水平軸芯の位置に支持軸（１３）を固定する雌ネジ穴（１２）を設けた送気装置（８）に替えて使用してもよい。
その場合は送気装置支持枠（１１）を省略できるので組立ても簡単になるのである。
更に、正面右側用支持軸（１３）はローレットネジを使用して、支持軸（１３）にすることで、送気方向調節ツマミ（１６）を省略できるので組立ても簡単にすることができる。
また必要に応じて電源電圧昇圧基板や直流ファンモータの回転数調節基板、充電器接続用のジャック、電源やモータの状態を示す小さなＬＥＤ灯などを設け、更に第１の実施形態で説明した熱中症予防の対策を用いてもよいのである。
【実施形態３】
【００２６】  本発明の第３の実施形態であるヘルメット＆帽子扇風機（１）を図１０、図１１及び図１２により説明する。
略上側が矩形状で下側が略半円形状に下向に飛び出た形状をした扇風機筐体（２）の頭部側で筐体（２）裏面の内部上方に電池受け（６）を水平にセットしてネジ止め等の方法で固定し、その下に送気孔（３）を開け送気孔グリル（３ａ）を取付け、送気孔（３）に合わせて軸流ファン（１０）をモータ（９）軸に固定した送気装置（８）を、気流が使用者の頭部側に送気できる向きにセットしてネジ止め等の方法で固定する（図１０、１２参照）。
なお筐体（２）裏面を合成樹脂材で作成して送気孔（３）と送気孔グリル（３ａ）を一体に成形しておくのがよい。
次に筐体（２）正面に電池交換用の電池蓋（５）穴を電池受け（６）の位置に合わせて開けて電池蓋（５）を設け、電池蓋（５）穴の下に吸気孔（４）を開けて吸気孔グリル（４ａ）を取付け、気流が吸気孔（４）から送気装置（８）を通し送気孔（３）へ送気され使用者の頭部を送気気化冷却することができるようにするのである（図１０参照）。
次に吸気孔（４）の右側に正面からスイッチ（７）が操作できるように、スイッチ（７）の操作ツマミ穴を開け，スイッチ（７）のツマミが操作できるように、ネジ止め等の方法で、筐体（２）内部にスイッチ（７）を固定する（図１０、図１１参照）。
なお筐体（２）正面を合成樹脂材で作成して吸気孔（４）と吸気孔グリル（４ａ）を一体に成形し、電池蓋（５）穴とスイッチ（７）の操作ツマミ穴も同時に開けておくのがよい。
更に、スイッチ（７）は使用者が使い易い位置であれば、筐体（２）の側面に設けてもよい（図示せず）。
【００２７】  ここで使用する送気装置（８）、電池受け（６）等は第１の実施形態で説明した物と同一であり、本実施形態では電池受け（６）を水平にセットしたため、バンド挟み込み範囲（Ｄ）は第１及び第２の実施形態のバンド挟み込み範囲（Ｄ）よりも図１０に示すように短く、使用者がより広範囲の送気方向を選択できるように、第２の実施形態である送気装置（８）を上下方向に略２０度ずつ揺動できるようにしてもよいのである（図示せず）。
また必要に応じて電源電圧昇圧基板や直流ファンモータの回転数調節基板、充電器接続用のジャック、電源やモータの状態を示す小さなＬＥＤ灯などを設け、更に、第１の実施形態で説明した熱中症予防の対策を併用するのもよい。
この筐体（２）は合成樹脂材、あるいは金属材等で作成するのがよい。
【００２８】  本発明の第３の実施形態であるバンド受けクッション（１７）は第１の実施形態であるバンド受けクッション（１７）と同一構成で図１０、図１２に示す通りであるので説明は省略する。
【００２９】  本発明の第３の実施形態である扇風機取付け帯（１８）は第１の実施形態である扇風機取付け帯（１８）と同一構成で図１０、図１２に示す通りであるので説明は省略する。
【００３０】  本発明の第３の実施形態である帯固定部（１９）は第１の実施形態である帯固定部（１９）と同一構成で図１０、図１１及び図１２に示す通りであるので説明は省略する。
【００３１】  装着方法は扇風機取付け帯（１８）とバンド受けクッション（１７）の間にヘルメット（Ａ）や帽子（Ｂ）のバンド（Ｃ）部分を挟み、扇風機取付け帯（１８）で締付けて、筐体（２）上面の帯固定部（１９）に指で圧着して固定するだけでよい。
取外す場合も、圧着部分の扇風機取付け帯（１８）を指で剥がして取外すだけでよい。
【００３２】  本実施例は電池受け（６）を水平に設け、その下に送気装置（８）を設けた例を説明しているのである（図１１参照）。
更に、水平に設けた電池受け（６）の下に送気装置（８）を設け、その下に電池受け（６）を水平に設けて、上下の電池受け（６）で送気装置（８）を挟んだ形状や（図示せず）、電池受け（６）を垂直に設けて、Ｈ字状に左右の電池受けで中央の送気装置（８）を挟むような形状のヘルメット＆帽子扇風機（１）でもよいのである（図示せず）。
【符号の説明】
【００３３】    １    ヘルメット＆帽子扇風機
２    筐体
３    送気孔
３ａ  送気孔グリル
４    吸気孔
４ａ  吸気孔グリル
５    電池蓋
６    電池受け
７    スイッチ
８    送気装置
９    モータ
１０  ファン
１１  送気装置支持枠
１２  雌ネジ穴
１３  支持軸
１４  軸受け穴
１５  パッキン吸気孔
１６  送気方向調節ツマミ
１７  バンド受けクッション
１８  扇風機取付け帯
１９  帯固定部
Ａ    ヘルメット
Ｂ    帽子
Ｃ    バンド
Ｄ    バンド挟み込み範囲
【図１】
0005900774.tif 000002
【図２】
0005900774.tif 000003
【図３】
0005900774.tif 000004
【図４】
0005900774.tif 000005
【図５】
0005900774.tif 000006
【図６】
0005900774.tif 000007
【図７】
0005900774.tif 000008
【図８】
0005900774.tif 000009
【図９】
0005900774.tif 000010
【図１０】
0005900774.tif 000011
【図１１】
0005900774.tif 000012
【図１２】
0005900774.tif 000013